(57)【要約】【課題】多数のソース群やそれに含まれる各種のソースを任意に選択する操作を、１つのモニタ画面上で容易に行うことができる「マルチソース選択操作方式」とする。【解決手段】１画面に複数のソース群毎の選択操作領域を設定し、各ソース群毎にそのソース群に含まれるソースの選択部を表示し、利用者が任意の一つのソース群またはソースを選択したとき、選択したソース群の特定のソースの操作部を表示すると共に、同一画面内に他のソース群に含まれるソースの選択部も表示し、それにより１つのソース群のソースを選択しているときにも、直ちに他のソース群内のソースの選択を可能とする。その際の選択操作領域は、選択したソース群については他より広く表示し、また、各ソース群の選択操作領域以外の領域に選択したソースの情報を表示し、また、現在選択しているソース群或いは以前最後に使用したソース群の選択操作領域を他より広く表示する。【選択図】図４
2010027136.tif 000002
【特許請求の範囲】
【請求項１】
１画面に表示した複数のソース群に含まれる複数のソースの選択部を利用者が任意に選択指示して、複数のソースの内のいずれか一つを出力するマルチソース出力装置において、
利用者が任意の一つのソース群またはソースを選択したとき、選択したソース群のソース選択部及び選択したソース群に含まれる特定のソースの操作部を表示すると共に、同一画面内に他のソース群に含まれるソースの選択部も表示することを特徴とするマルチソースア選択操作方式。
【請求項２】
前記画面内において複数のソース群毎に、各ソース群に含まれるソースの選択部を表示する選択操作領域を可変に設定することを特徴とすることを特徴とする請求項１記載のマルチソース選択操作方式。
【請求項３】
選択したソース群の選択操作領域を他のソース群の選択操作領域より広く表示することを特徴とする請求項２記載のマルチソース選択操作方式。
【請求項４】
前記ソース群の中で以前最後に使用したソース群の選択操作領域を、他のソース群の選択操作領域より広く表示することを特徴とする請求項２記載のマルチソース選択操作方式。
【請求項５】
前記複数のソース群選択操作領域以外の領域に、現在選択しているソース群またはソースの情報を表示することを特徴とする請求項２記載のマルチソース選択操作方式。
【請求項６】
前記ソース群の選択操作領域には、ソース群の中で以前最後に使用したソースの選択部を中心に配置することを特徴とする請求項２記載のマルチソース選択操作方式。
【請求項７】
前記中心に配置したソースについては、操作部も表示することを特徴とする請求項６記載のマルチソース選択操作方式。
【発明の詳細な説明】
【技術分野】
【０００１】
この発明は例えば車両に搭載しているラジオやＣＤ、ＨＤＤ等のオーディオ装置、更にはこれに接続する携帯プレーヤ等の各種のソースを容易に選択することができるようにしたマルチソース選択操作方式に関する。  
【背景技術】
【０００２】
近年のオーディオ装置の発達により、ＣＤプレーヤのほかＨＤＤに大量の楽曲をダウンロードして聴くＨＤＤプレーヤ、更にはオーディオ装置に大量の楽曲を収録した携帯プレーヤを接続して聴くことも行われ、またラジオ放送についてもＡＭ放送やＦＭ放送のほか、多数のチャンネルをもつデジタル放送も普及している。更にテレビ放送についても地上デジタル放送を初め種々のテレビ放送が受信可能となっており、またテレビモニタにはＤＶＤ等のビデオ機器を接続し、更には大量の画像を伴う楽曲を収録したプレーヤを接続して視聴する等、各種のメディアについての多様なオーディオビジュアル装置を利用して楽しむことができるようになっている。
【０００３】
特に車両においては、できる限り1つのオーディオ装置により前記のような多数のソースを取り扱うことができるようにすることが好ましく、また車両用オーディオ装置は運転者が取り扱うことが多いため、オーディオ装置の操作によってできる限り運転に支障がないように、それらの機器の操作を1箇所でできるようにし、またその操作はできる限りわかり易くする必要がある。また、このようにオーディオ装置として多数のソースを備え、任意に選択して利用し、その操作性の向上が望まれているのは前記のような車載用オーディオ装置に限らず、家庭用オーディオ装置等においても同様である。
【０００４】
なお、前記のように多数のソースについて、単なるオーディオ以外に画像も含むオーディオも存在し、通常のテレビ放送のほか映画を含む各種のＤＶＤやＨＤＤも存在するが、最も代表的な装置がオーディオ装置であるため、以下には「オーディオ装置」と総称する。
【０００５】
従来より、ナビゲーション装置の画面にオーディオ装置の操作用入力部を表示する技術は特開２００４−１３２７４１号公報（特許文献１）に開示され、各種装置が接続された車載機器の操作性を向上するためモニタに全ての機器操作を行うことができる画面を表示し、順に操作を絞り込んでいく技術は特開平１１−１９８７４４号公報（特許文献２）に開示されている。
【特許文献１】特開２００４−１３２７４１号公報
【特許文献２】特開平１１−１９８７４４号公報
【発明の開示】
【発明が解決しようとする課題】
【０００６】
前記のように特に車両用オーディオ装置を初めとする各種オーディオ装置においては、多数のソースを備え、任意に選択して利用するようになっているが、前記特許文献１に開示されているような、単にモニタ画面上のナビゲーション画面を表示している一部にオーディオ装置の操作メニューを表示するのみでは、前記のような多種類のオーディオ装置を任意に選択することは困難である。
【０００７】
また、前記特許文献２に開示されているような、モニタ画面上に全機能表示指示領域を設け、その画面で特定の機能を選択した後はその機能についての操作画面を表示するようにするのみでは、特定のソースの再生等の操作を行っているときに直ちに他のソースに切り替えてその再生操作を行いたいと思ったときには、再び全機能表示指示領域を表示する画面に戻し、希望する機能を選択した後その機能の操作を行うために、操作機能を順に絞り込んでいく必要があり、多くの手数を要するという問題がある。このことは特に車両用オーディオ装置において、運転者がこのような多数の操作を行うことは好ましくない。
【０００８】
更に、前記のような操作メニューの表示、或いは機能選択メニューの表示は、単にモニタにそれらのメニュー表示を行うだけであり、必ずしも利用者が選択しやすいメニュー画面とはなっていない。
【０００９】
したがって本発明は、多数のソース群やそれらのソース群に含まれる各種のソースを任意に選択して、それぞれのメディアの各種操作を行うに際して、１つのモニタ画面上でそれらのソース群や各ソースの選択と、それらのソースの操作を容易に行うことができるようにしたマルチソース選択操作方式を提供することを主たる目的とする。
【課題を解決するための手段】
【００１０】
本発明に係るマルチソース選択操作方式は、上記課題を解決するため、１画面に表示した複数のソース群に含まれる複数のソースの選択部を利用者が任意に選択指示して、複数のソースの内のいずれか一つを出力するマルチソース出力装置において、利用者が任意の一つのソース群またはソースを選択したとき、選択したソース群のソース選択部及び選択したソース群に含まれる特定のソースの操作部を表示すると共に、同一画面内に他のソース群に含まれるソースの選択部も表示することを特徴とする。
【００１１】
本発明に係る他のマルチソース選択操作方式は、前記マルチソース選択操作方式において、前記画面内における複数のソース群毎に、各ソース群に含まれるソースの選択部を表示する選択操作領域を可変に設定することを特徴とすることを特徴とする。
【００１２】
本発明に係る他のマルチソース選択操作方式は、前記マルチソース選択操作方式において、選択したソース群の選択操作領域を他のソース群の選択操作領域より広く表示することを特徴とする。
【００１３】
本発明に係る他のマルチソース選択操作方式は、前記マルチソース選択操作方式において、前記ソース群の中で以前最後に使用したソース群の選択操作領域を、他のソース群の選択操作領域より広く表示することを特徴とする。
【００１４】
本発明に係る他のマルチソース選択操作方式は、前記マルチソース選択操作方式において、前記複数のソース群選択操作領域以外の領域に、現在選択しているソース群またはソースの情報を表示することを特徴とする。
【００１５】
本発明に係る他のマルチソース選択操作方式は、前記マルチソース選択操作方式において、前記ソース群の選択操作領域には、ソース群の中で以前最後に使用したソースの選択部を中心に配置することを特徴とする。
【００１６】
本発明に係る他のマルチソース選択操作方式は、前記マルチソース選択操作方式において、前記中心に配置したソースについて操作部も表示することを特徴とする。
【発明の効果】
【００１７】
本発明は上記のように構成したので、多数のソースを任意に選択して、それぞれのソースの各種操作を行うに際して、１つのモニタ画面上でそれらのソースの選択とそれらのソースの操作を容易に行うことができるようになる。
【発明を実施するための最良の形態】
【００１８】
本発明は、多数のソースを任意に選択して、それぞれのソースの各種操作を行うに際して、１つのモニタ画面上でそれらのソースの選択とそれらのソースの操作を容易に行うことができるようにするという課題を、１画面に表示した複数のソース群または１つのソース群に含まれる複数のソースの選択部を利用者が任意に選択指示して、複数のソースの内のいずれか一つを出力するマルチソース出力装置において、利用者が任意の一つのソース群またはソースを選択したとき、選択したソース群のソース選択部及び選択したソース群に含まれる特定のソースの操作部を表示すると共に、同一画面内に他のソース群に含まれるソースの選択部も表示することにより実現した。
【実施例１】
【００１９】
本発明の実施例を図面に沿って説明する。図１（ａ）は現在放送受信機を利用し、特に特定のＦＭ放送曲の電波を受信して聴いている、「ＦＭラジオ受信表示画面」を示している。したがって画面１の全体にわたって現在選択しているソース群は「Ｒａｄｉｏ」であることを表示し、上部に現在このソース群の１つのソースであるＦＭ放送を受信していることを示す「ＦＭ」を表示し、その下に受信している放送局の名前である「ＦＭ  ＴＯＫＹＯ」を表示し、その下に放送周波数である８１．３（ＭＨｚ）を表示している。
【００２０】
図１に示す例においては同図（ａ）の表示状態から、利用者が画面に指等で触れることにより、同図（ｂ）のような各種のソース群及び各ソース群に含まれるソースを選択し操作する「マルチソース選択操作モード画面」にした状態を示している。このマルチソース選択操作モード画面においては、画面１の上部側に１つのソース群であるラジオ選択操作領域２を楕円の一部の形状に表示している。また画面１の下部側には、例えばＣＤ、ＨＤＤのデータ記録媒体にオーディオデータを記録してこれを再生するＨＤＤソース、或いは内蔵したメモリや小型のハードディスクに多量のオーディオデータを記録して、容易に携帯できるようにした携帯型オーディオプレーヤとしての「ＰＡＤ（仮称）」のソースを備えた、各種メディアのソースを選択するメディア選択操作領域３を、楕円の一部の形状に表示している。
【００２１】
図１（ｂ）に示す例においては、画面１の上側のラジオ選択操作領域２と下側のメディア選択操作領域３との間の中間表示領域４に、現在選択しているソース群はラジオであり、そのソース群のうちの１つのソースであるＦＭ放送を選択し、ＦＭ  ＴＯＫＹＯの放送局の電波を受信していること、及びその放送局の放送周波数である８１．３を示している。なお、図１（ａ）に示す画面状態から利用者の接触等による指示によって、同図（ｂ）に示す各種ソースやメディアを選択する画面状態としたとき、所定時間以上経過したときには元の同図（ａ）に示す画面の状態に戻すようにしても良い。
【００２２】
図１の例においては、現在はメディアとしてラジオを選択していることにより、ＣＤ等の各種のメディアを表示するメディア選択操作画面３よりは広い領域を占めており、それによりこのラジオではＦＭ放送、ＡＭ放送、米国での放送であるＸＭ放送を受信することができることを示しており、また、その表示部分を指等の接触で指示すると、ＡＭ放送及びＸＭ放送に切り替えることができるようにしている。
【００２３】
また、これらのラジオ選択操作画面２においては、現在受信しているＦＭ放送を中心位置に表示し、更に図中１〜６の数値を示して、予めこの数値に対応して受信放送局をセットしておくことにより、任意の数値を選択することによって直接選局を行うことができるようにしている。更に予め設定した受信可能な局をサーチするための「ＳＥＥＫ」操作について、周波数の高い方或いは低い方にサーチする「ＵＰ」と「ＤＮ」の操作部を設け、また、周波数を連続的に変化させるための「ＴＵＮＥ」操作について、周波数の高い方或いは低い方に変化させる「ＵＰ」と「ＤＮ」の操作部を設けている。
【００２４】
上記のように図１に示す例においては、このオーディオ装置にはラジオを１つのソース群とし、ＦＭ、ＡＭ、ＸＭをソース群に含まれるソースとし、データ記録媒体に記録されたオーディオデータを再生して出力する各ソースを１つのソース群とし、ＣＤ、ＨＤＤ、携帯プレーヤとしての「ＰＡＤ」をそのソース群に含まれる各ソースとした例を示している。
【００２５】
現在受信しているソース群であるラジオについてのラジオ選択操作領域２に対して、各種のメディアを選択するメディア選択操作領域３については、これらの各種のソースの中で以前利用した最後のソースであるＣＤの選択操作部を中心に配置し、主たるソースとして示しており、その両側に更に他のソースである外部接続した携帯オーディオ装置としての「ＰＡＤ」と、「ＨＤＤ」の選択部を配置している。また、前記のような主たるソースであるＣＤの選択操作部の下部には、再生と戻し操作部、及び早送りと早戻し操作部を配置している。
【００２６】
図１（ｂ）に示すようなマルチ選択操作モードにおいては、前記のような表示により種々の選択操作を行うことができ、特に現在使用しているソース群の「ラジオ」については、現在ＦＭラジオをを聴いていることによりＦＭ放送受信に関してはほぼ全ての操作機能を表示し、他のソースであるＡＭ放送及びＸＭ放送の選択を容易に行うことができるようにしている。また、他のソース群としての「メディア」についても、そのソース群に含まれる各種のソースの内任意のソースを選択することができるようにメディア選択操作領域３も表示しており、特にこれらのメディアのうち最後に用いたソースであるＣＤについては操作部も表示し、この操作部を操作することによって最後に聴いた曲の再生を可能とし、戻し再生、早送り、早戻し再生も可能とする。また、他のソースである「ＰＡＤ」及び「ＨＤＤ」については、この画面上でその表示位置を選択指示することにより、それぞれのソースを選択することができる。
【００２７】
このような選択操作画面表示を行うことにより、前記のような各種のソース群を選択することができ、その際には特に現在選択中のソースを中心に表示し、或いは選択しているソースと他のソースとを特に異なっている色で分けて表示し、更に操作部も画面表示することによって直接現在の選択ソースの再生操作が可能となる。そのときにおいても、現在選択しているソース以外のソースの選択も直ちに行うことができる。更に他のソース群についても、そのソース群のうち以前選択した最後のソースについては直ちに再生操作を行うことができ、或いはそのソース群の他のソースも選択できるため、多種類のソースについて極めて選択操作が容易なマルチソース選択操作方式とすることができる。
【００２８】
図１（ａ）のＦＭ放送受信時の状態から利用者が画面に指等で接触操作することにより同図（ｂ）のマルチ選択操作モードになったとき、更に利用者がメディア選択操作領域３の「Ｍｅｄｉａ」の部分を選択指示したときには、例えば図２（ａ）に示すようなメディア操作モードとなる。図示の例においては前記図１（ｂ）の画面において上方で広い領域を占めていたラジオの選択操作領域２を狭く表示し、利用者が選択したメディアが属するメディア選択操作領域３の表示領域を広くしている。
【００２９】
即ち図２（ａ）に示すメディア操作モードの表示例においては、各種メディアのうち、特に最後に使用したソースであるＣＤに限らず、各種のソースから任意のソースについても容易に選択できるように、各ソースについてラストモードとしての最後に再生した楽曲のジャケット写真を表示する例を示している。
【００３０】
同図においては特に大きく各種メディアを表示するメディア選択操作画面の中央にＣＤを表示し、このＣＤについては直ちに再生操作できるように操作画面を表示している。利用者がこのような画面を見て、ＣＤを選択して操作するときには、直ちに再生操作を行うことができる。また、例えばＨＤＤのラストモードの曲表示等を見てＨＤＤを選択するときには、例えばＨＤＤを中心に配置し、両側に「ＣＤ」と「ＰＡＤ」を配置するようにしても良い。
【００３１】
図２（ａ）の例においては、前記のようなメディア選択操作領域３のほか、前記各例と同様にラジオ選択操作領域２を配置しており、図示の例では中心にラストモードとしての「ＦＭ」を配置し、その両側に「ＡＭ」「ＸＭ」を配置している。但しこの画面にも前記図１（ｂ）と同様に、ＦＭ放送については直ちに選局を行うための操作画面を表示するようにしても良い。
【００３２】
一方前記の例では、図１（ｂ）に示す画面において前記の例では「Ｍｅｄｉａ」選択操作領域を指示した時の表示例を示したが、図１（ｂ）の画面において「ＣＤ」表示部分を選択操作したとき、及び図２（ａ）の画面において「ＣＤ」部分を指示したときには、例えば図２（ｂ）に示すようなＣＤ操作モード画面とする。
【００３３】
このときには、選択されたソース群であるメディア選択操作領域を広くし、この広くなったメディア選択操作領域３には中央に利用者が選択したＣＤの選択操作画面を表示し、ラストモードとして先に聴いたＣＤの特定の曲を選択し、その曲についての再生、戻し再生、早送り、早戻しの各再生操作部を設け、図示の例では再生中に再度同じ曲を聴く「Ｒｅｐｅａｔ」、ランダム再生を行う「Ｒａｎｄｏｍ」の操作部を表示している。また、このＣＤ操作部の両側には、前記図１（ｂ）と同様に携帯プレーヤとしての「ＰＡＤ」及びＨＤＤを選択するための操作部を配置している。更に図２（ａ）の例ではラジオ選択操作領域２と各種メディア選択操作領域３との間の中間表示領域４をＣＤの再生表示領域としており、現在再生している曲の情報を表示し、更にそのジャケット写真も表示している。
【００３４】
また、前記のようにメディアとしてＣＤを選択したことにより、ラジオ操作画面表示領域２が狭くなったため、図２（ａ）の例においては、中央に先に聴いていたＦＭ放送の選択部を配置し、その両側にＡＭ放送、及びＸＭ放送の選択を行う画面表示のみとしている。なお、この選択画面において例えば図１（ｂ）のように、ＦＭ放送の受信局選択部を表示し、選択操作画面としても良い。
【００３５】
上記のように、メディアを選択する画面に変更したとき、先に選択した最後のソースについて、直ちに操作を行うことができる選択操作画面を表示し、更に他のメディアについては直接選択することができるようになるため、各種メディアの選択操作が容易となる。また、このときの各種メディアの選択操作画面は広いため、文字や記号を大きく表示することができ、操作性の良い画面表示とすることができる。
【００３６】
前記実施例においてはモニタ画面にソース選択操作領域を、画面の上方と下方の２辺側に分けて設定した例を示したが、そのほか必要に応じて各種の設定が可能であり、図３（ａ）にはモニタ画面の左右上下の４辺側に分けて設定した例を示している。同図の例においては前記のラジオとメディア以外に、車両に搭載して外部を撮影するカメラ表示選択、及びその設定も行う例を示している。即ち、画面１の枠における上下の辺部分は前記の例と同様に、上方にラジオのソース選択操作部を配置し、下方に各種のメディアのソースを選択するメディア選択操作部を表示すると共に、図中右側の辺には車両搭載カメラの選択操作部を配置し、図中左側の辺にはそれらのカメラ自体の選択、或いは画像表示方式の選択を行うための選択操作部を配置している。
【００３７】
図３（ａ）の例においては画面の４辺に配置した選択操作部の何れに対しても指示が行われていない状態であり、このときに利用者が指等で「Ｍｅｄｉａ」の選択操作部分を操作したとき、同図（ｂ）に示すように、中間表示部に「Ｍｅｄｉａ」のソース群を選択し、特にＣＤのソースを指示して選択した状態を示している。従って図３の例では、ソース群の一つとして車外撮影カメラを備え、それらに含まれるソースとしてリアカメラ、フロントカメラ、車両の上方に視点を配置した画像を表示するトップビューカメラを備えた例を示している。本発明のソース或いはそれらの集合のソース群としては更に種々のものとすることができ、例えばビジュアルのソース群においてテレビ、ＤＶＤ、ＨＤＤ等をソースとしても良い。
【００３８】
上記のような選択操作画面を表示するには、例えば図４（ａ）の機能ブロック図に示すような各機能部の作動によって実施することができる。即ち図４（ａ）に示す機能ブロック図においては、システム制御部１０に、各機能部を関連して制御可能なソフトを記録したＲＯＭ、及び演算処理装置としてのＣＰＵ、演算に際して用いるＲＡＭ等を備え、このシステム制御部１０に対して画面枠内ソース群毎選択操作部配置設定部１１が接続している。
【００３９】
この画面枠内ソース群毎選択操作部配置設定部１１においては、例えば図４（ｂ）の例のようにソース群として「Ｒａｄｉｏ」と「Ｍｅｄｉａ」が存在するとき、画面１の上方にラジオ選択操作領域２を楕円の一部の形状に表示し、画面１の下方にメディア選択操作領域３を楕円の一部の形状に表示している。また、現在選択しているソース群が「Ｍｅｄｉａ」であって、選択しているソースは「ＣＤ」であることにより、「Ｍｅｄｉａ」のソース群の選択操作領域３が各種表示を行うことができるように、充分広くなるように配置した例を示している。
【００４０】
ソース群表示枠内ソース毎選択操作部配置設定部１２においては、前記のように画面枠内ソース群毎選択操作部１１で配置した各ソース群毎の選択操作領域内において、そのソース群に含まれる複数のソースをいつでも任意に選択することができるように、ソース毎の選択操作部を配置する設定を行う。図４（ｂ）の例においては、現在選択しているソース群が「Ｍｅｄｉａ」であるとき、その中央上部に現在選択しているソースである「ＣＤ」の選択操作部を配置し、両側に他のソースである携帯型オーディオ装置としての「Ｐａｄ」とこのオーディオ装置が備えている「ＨＤＤ」の各選択操作領域を表示している。
【００４１】
また、現在選択しているソース群が「Ｍｅｄｉａ」であることにより、選択したソースを再生するための再生操作部のためのスペースを充分に取るように、それらの選択操作部を配置している。それに対して現在選択していないソース群である「Ｒａｄｉｏ」については、狭く表示されている選択操作領域において、「ＸＭ」「ＦＭ」「ＡＭ」の選択操作部を表示し、それによりＣＤの再生中であっても、これらの各ソースの選択を直接行うことができるように表示している。
【００４２】
ソース操作画面表示部１３においては、選択したソースについて、再生や逆再生、早送りや早戻し等の各種の再生を行うための操作領域を表示するものであり、図４（ｂ）の例においては、現在選択しているＣＤについて、前記のような再生や逆再生、早送りや早戻しのほか、同じ曲を再度聴く「Ｒｅｐｅａｔ」や、曲をランダムに聴く「Ｒａｎｄａｍ」の操作部を設けた例を示している。
【００４３】
選択操作指示検出部１４においては、例えば図４（ｂ）のような画面に利用者がタッチすることを検出するものであり、それにより利用者の各種指示を検出し、その検出結果に基づく各種の処理操作を行う。
【００４４】
表示処理部１５では画面１内の各種表示を行うための処理をするものであり、その中の画面枠内表示処理部１６では前記のように設定されたソース群の表示領域毎に、またソース毎の表示領域、更にはソース操作画面の表示領域に実際に各選択部及び操作部を表示する処理を行う。その際には、各ソース群の表示領域に含まれない中間表示領域４に、現在選択しているソース群及びソース、更には現在再生している、或いは再生しようとしている曲のジャケット写真を表示しても良い。また、必要に応じてその曲の情報をここに表示することもできる。
【００４５】
表示処理部１５におけるラストモード対応表示部１７では、例えば図４（ｂ）においてソース群として「Ｍｅｄｉａ」を選択したとき、そのソース群では先に「ＣＤ」を聴いていた際には、これをラストモードとして中央にその選択操作部を配置し、またそのＣＤについて最後に聴いた特定の曲についてもラストモードによってこれを選択し、ジャケット写真表示等の表示を行う。また、このときに表示されている他のソース群である「Ｒａｄｉｏ」についても、そのソース群の中で最後に選択していたソースである「ＦＭ」の選択部を、ラストモードによって中央に配置しており、このラストモード対応表示部１７ではこのような種々の表示処理を行っている。
【００４６】
本発明は前記のように、各種の態様で実施することができるものであるが、同様の趣旨によって更に種々の態様で実施することができる。
【図面の簡単な説明】
【００４７】
【図１】本発明による表示例を示す図である。
【図２】本発明による他の表示例を示す図である。
【図３】本発明による更に他の表示例を示す図である。
【図４】本発明の説明図であって、（ａ）は機能ブロック図であり、（ｂ）は各機能により表示する画面例の説明図である。
【符号の説明】
【００４８】
１  画面
２  ラジオ選択操作領域
３  メディア選択操作領域
４  中間表示領域
１０  システム制御部
１１  画面枠内ソース群毎選択操作部配置設定部
１２  ソース群表示枠内ソース毎選択操作部配置設定部
１３  ソース操作画面表示部
１４  選択操作指示検出部
１５  表示処理部
１６  画面枠内表示処理部
１７  ラストモード対応表示部
【図１】
2010027136.tif 000003
【図２】
2010027136.tif 000004
【図３】
2010027136.tif 000005
【図４】
2010027136.tif 000006